(57)【要約】    【課題】メイン基板とサブ基板の双方にＩＣリセット回路を載せた装置よりも安価に製造可能な、パワーオンリセットが常に正しく行われる情報処理装置を、提供する。    【解決手段】情報処理装置のサブ基板（操作パネル基板）１２として、ＣＲリセット回路からのＣＲリセット信号，メイン基板上のＩＣリセット回路からのＩＣリセット信号の双方のレベルがハイレベルであるときに、ハイレベルとなるリセット信号を生成するノイズ除去回路２０が搭載された基板であって、そのノイズ除去回路２０が出力するリセット信号に基づきパワーオンリセットが行われる基板を採用しておく。    【選択図】図３
2008226138.tif 000002
【特許請求の範囲】
【請求項１】
ＩＣリセット回路を備え、当該ＩＣリセット回路からのＩＣリセット信号に基づきパワーオンリセットを行うメイン基板と、
ＣＲリセット回路と、当該ＣＲリセット回路からのＣＲリセット信号及び前記ＩＣリセット回路からのＩＣリセット信号に基づき，双方のリセット信号のレベルがハイレベルであるときに、ハイレベルとなるリセット信号を生成するリセット信号生成回路であって、前記ＩＣリセット回路からのＩＣリセット信号のレベルが，一旦，ハイレベルに変化した後には、ＩＣリセット信号のレベルがローレベルに変化しても，その状態が所定時間以上継続しなかった場合には，ハイレベルのリセット信号を出力し続けるリセット信号生成回路とを備え、当該リセット信号生成回路からのリセット信号に基づきパワーオンリセットを行うサブ基板と、
を含むことを特徴とする情報処理装置。
【請求項２】
前記サブ基板が、操作パネル用の基板である
ことを特徴とする請求項１記載の情報処理装置。
【請求項３】
前記メイン基板が固定されている本体部分と、
前記サブ基板が固定されていると共に，前記本体部分に対して開閉操作が可能なように取り付けられている開閉操作可能部分と
を有することを特徴とする請求項１又は請求項２に記載の情報処理装置。
【発明の詳細な説明】
【技術分野】
【０００１】
本発明は、メイン基板とサブ基板とを備えた情報処理装置に関する。
【背景技術】
【０００２】
近年，市販されている，操作パネルを備えた装置（プリンタ，複合機等）は、ＣＰＵ等が搭載されているメイン基板と，操作パネル用のサブ基板とが，ハーネスで接続されたものとなっているが、そのような装置においても、一般的な情報処理装置（各種電子デバイスが用いられている装置）と同様に、パワーオンリセットが正しく行われるように（電源投入時に各種電子デバイスが，一定時間，リセットされるように）しておく必要がある。
【０００３】
そして、パワーオンリセットが正しく行われるようにしておくためには、メイン基板とサブ基板の双方にＩＣリセット回路（リセット用のＩＣ）を載せておくのが最も確実なのであるが、この構成を採用した装置は、比較的に高価なものとならざるを得ない。このため（装置の販売価格／製造コストを下げるため）、メイン基板にＩＣリセット回路を載せ，サブ基板にＣＲリセット回路（コンデンサと抵抗とを主要構成要素とした回路；ＩＣリセット回路よりも、信号の変化が早い回路）を載せた装置や、メイン基板にＩＣリセット回路を載せ，メイン基板上のＩＣリセット回路からの信号によりサブ基板がリセットされるようにした装置も開発されているのであるが、前者の装置は、メイン基板がリセットされているのに，サブ基板がリセットされていない（サブ基板が動作している）無視できない期間が存在するという欠点を有するものとなっている。また、後者の装置は、ＩＣリセット回路からサブ基板へ伝搬されている間にＩＣリセット信号に乗ったノイズにより、サブ基板が誤ってリセットされてしまう場合があるという欠点を有するものとなっている。
【発明の開示】
【発明が解決しようとする課題】
【０００４】
そこで、本発明の課題は、上記のような欠点を有さない情報処理装置であって、メイン基板とサブ基板の双方にＩＣリセット回路を載せた装置よりも安価に製造可能な情報処理装置を提供することにある。
【課題を解決するための手段】
【０００５】
上記課題を解決するために、本発明の情報処理装置は、（ａ）ＩＣリセット回路を備え、当該ＩＣリセット回路からのＩＣリセット信号に基づきパワーオンリセットを行うメイン基板と、（ｂ）ＣＲリセット回路と、当該ＣＲリセット回路からのＣＲリセット信号，ＩＣリセット回路からのＩＣリセット信号に基づき，双方のリセット信号のレベルがハイレベルであるときに、ハイレベルとなるリセット信号を生成するリセット信号生成回路であって、ＩＣリセット回路からのＩＣリセット信号のレベルが，一旦，ハイレベルに変化した後には、ＩＣリセット信号のレベルがローレベルに変化しても，その状態が所定時間以上継続しなかった場合には，ハイレベルのリセット信号を出力し続けるリセット信号生成回路とを備え、当該リセット信号生成回路からのリセット信号に基づきパワーオンリセットを行うサブ基板とを、含む。
【０００６】
すなわち、本発明の情報処理装置のサブ基板（例えば、操作パネル用の基板）は、ＣＲリセット回路からのＣＲリセット信号に基づきパワーオンリセットを行うものではなく、“ＩＣリセット回路からのＩＣリセット信号，ＣＲリセット回路からのＣＲリセット信号の双方がハイレベルであるときに、ハイレベルとなるリセット信号”（リセット信号生成回路が出力するリセット信号）に基づきパワーオンリセットを行うものとなっている。従って、本発明の情報処理装置では、メイン基板がリセットされているのに，サブ基板がリセットされていないということが生じないことになる。しかも、サブ基板が備えるリセット信号生成回路は、“ＩＣリセット回路からのＩＣリセット信号のレベルが，一旦，ハイレベルに変化した後には、ＩＣリセット信号のレベルがローレベルに変化しても，その状態が所定時間以上継続しなかった場合には，ハイレベルのリセット信号を出力し続ける回路”となっている。このため、本発明の情報処理装置では、ＩＣリセット回路からサブ基板へ伝搬されている間にＩＣリセット信号に乗ったノイズにより、サブ基板が誤ってリセットされてしまう場合もないことになる。
【０００７】
そして、上記のような機能を有するリセット信号生成回路は、安価に製造できるものであるため、本発明の情報処理装置は、メイン基板とサブ基板の双方にＩＣリセット回路を載せた装置よりも安価に製造可能な装置となっていることにもなる。
【０００８】
なお、本発明の情報処理装置を実現する際には、ＩＣリセット回路，ＣＲリセット回路，リセット信号生成回路を、メイン基板或いはサブ基板上に搭載しておく必要はなく、各回路をメイン基板或いはサブ基板の近傍に設けておくことも出来る。
【０００９】
また、本発明の情報処理装置に採用されている，パワーオンリセットのための構成は、ノイズに強いものである。このため、本発明の構成は、メイン基板とサブ基板とのハーネスを長いものとせざるを得ない情報処理装置、例えば、メイン基板が固定されている本体部分と、サブ基板が固定されていると共に，本体部分に対して開閉操作が可能なように取り付けられている開閉操作可能部分とを有する情報処理装置や複合機に、特に適したものとなっていると言うことも出来る。
【発明を実施するための最良の形態】
【００１０】
以下、本発明を実施するための最良の形態を、図面を参照して詳細に説明する。
【００１１】
まず、図１及び図２を用いて、本発明の一実施形態に係る情報処理装置１０の概要を説明する。
【００１２】
図１に示してあるように、本発明の一実施形態に係る情報処理装置１０は、メイン基板１１と操作パネル基板１２（本発明のサブ基板に相当）と印刷エンジン１３とを備えた装置である。
【００１３】
この情報処理装置１０が備える印刷エンジン１３は、用紙上に印刷を行うためのユニットである。操作パネル基板１２は、複数の押しボタンスイッチ，複数のＬＥＤ及びＬＣＤが、それらの制御回路（ＦＦ，ＡＳＩＣ等）と共に設けられている基板（詳細は後述）である。
【００１４】
メイン基板１１は、本情報処理装置１０を、プリンタとして動作させるユニットである。このメイン基板１１は、ＣＰＵ，ＲＯＭ，ＲＡＭ等と共に、ＩＣリセット回路が搭載されている基板となっている。
【００１５】
そして、本実施形態に係る情報処理装置１０は、図２（Ａ），（Ｂ）に示してあるように、操作パネル基板１２が、本体部分（メイン基板１１が固定されている部分）に対して開閉操作が可能なように取り付けられているカバー（開閉操作可能部分（本発明のサブ基板に相当）に固定されている装置（操作パネル基板１２とメイン基板１１とを接続しているハーネスの長さが比較的に長い装置）となっている。
【００１６】
以上のことを前提として、以下、本実施形態に係る情報処理装置１０の構成及び動作を、さらに具体的に説明する。
【００１７】
情報処理装置１０のメイン基板１１は、自基板に搭載されているＩＣリセット回路が出力するＩＣリセット信号に基づきパワーオンリセットが行われるように構成された基板である。
【００１８】
一方、操作パネル基板１２は、図３に模式的に示してあるように、ＣＲリセット回路と、ノイズ除去回路２０（本発明のリセット信号生成回路に相当）とが搭載されている基板である。また、操作パネル基板１２は、ノイズ除去回路２０が出力する信号（以下、リセット信号と表記する）によって、操作パネル基板１２上の各回路のパワーオンリセットが行われるように構成された基板となっている。
【００１９】
この操作パネル基板１２に搭載されているノイズ除去回路２０は、シュミットトリガーゲートと，３つのＦＦ（フリップフロップ）と，ＯＲゲートとを、図４に示したように組み合わせた回路である。
【００２０】
すなわち、ノイズ除去回路２０は、図５に示したように、ＣＲリセット回路からのＣＲリセット信号，ＩＣリセット回路からのＩＣリセット信号の双方のレベルがハイレベルとなっているときに、ハイレベルとなる信号（図５における“ノイズ除去回路出力”）を出力する回路であると共に、ＩＣリセット回路からのＩＣリセット信号のレベルが，一旦，ハイレベルに変化した後には、ＩＣリセット信号のレベルがローレベルに変化しても，その状態が所定時間（３クロック分の時間）以上継続しなかった場合には，出力する信号のレベルを変化させない回路となっている。
【００２１】
以上の説明から明らかなように、本実施形態に係る情報処理装置１０の操作パネル基板１２は、ＣＲリセット回路からのＣＲリセット信号に基づきパワーオンリセットを行うものではなく、“ＩＣリセット回路からのＩＣリセット信号，ＣＲリセット回路からのＣＲリセット信号の双方がハイレベルであるときに、ハイレベルとなるリセット信号”（ノイズ除去回路２０が出力するリセット信号）に基づきパワーオンリセットを行うものとなっている。従って、この情報処理装置１０では、メイン基板１１がリセットされているのに，操作パネル基板１２がリセットされていないということが生じないことになる。しかも、操作パネル基板１２に搭載されているノイズ除去回路２０は、“ＩＣリセット回路からのＩＣリセット信号のレベルが，一旦，ハイレベルに変化した後には、ＩＣリセット信号のレベルがローレベルに変化しても，その状態が所定時間以上継続しなかった場合には，出力する信号のレベルを変化させない回路”となっている。このため、本情報処理装置１０では、メイン基板１１（ＩＣリセット回路）から操作パネル基板１２へ伝搬されている間にＩＣリセット信号に乗ったノイズにより、操作パネル基板１２が誤ってリセットされてしまうといったことも生じないことになる。
【００２２】
そして、上記のようなリセット信号を生成させるために，操作パネル基板１２に搭載されているノイズ除去回路２０は、安価に製造できるもの（図４）であるため、本実施形態に係る情報処理装置１０は、メイン基板１１と操作パネル基板１２の双方にＩＣリセット回路を載せた装置よりも、安価に製造できる装置となっていることになる。
【図面の簡単な説明】
【００２３】
【図１】実施形態に係る情報処理装置の構成図。
【図２】実施形態に係る情報処理装置の外観図。
【図３】実施形態に係る情報処理装置に用いられている操作パネル基板の構成図。
【図４】操作パネル基板に搭載されているノイズ除去回路の回路図。
【図５】ノイズ除去回路の機能を説明するための図。
【符号の説明】
【００２４】
１０  情報処理装置、  １１  メイン基板、  １２  操作パネル基板
１３  印刷エンジン、  ２０  ノイズ除去回路
【図１】
2008226138.tif 000003
【図２】
2008226138.tif 000004
【図３】
2008226138.tif 000005
【図４】
2008226138.tif 000006
【図５】
2008226138.tif 000007